(57)【特許請求の範囲】
【請求項１】
収納庫本体と、前記収納庫本体に取り付けられる化粧用前面板と、前記収納庫本体の前部に設けられた本体側プレートと、前記本体側プレートに形成されたネジ挿入穴と、前記本体側プレートのネジ挿入穴を挟んでネジ挿入穴から離間する位置に形成された一対の工具挿入穴と、前記化粧用前面板に設けられ、前記本体側プレートに対向して備えられる前面板側プレートと、前記前面板側プレートに形成され前記本体側プレートのネジ挿入穴に対向する取付用雌ネジと、前面板側プレートに形成され前記本体側プレートの工具挿入穴に対向する調整用雌ネジと、前記ネジ挿入穴へ軸部が緩く挿入され前記取付用雌ネジに螺合される取付雄ネジと、前記一対の調整用雌ネジに螺合される調整用雄ネジとから成り、前記取付雄ネジの頭部は前記ネジ挿入穴を通過しないサイズに形成され、前記ネジ挿入穴の収納庫本体側に位置しており、前記調整用雄ネジの頭部は前記工具挿入穴を通過しないサイズに形成され、前記本体側プレートと前面板側プレートとの間に位置していることを特徴とする化粧用前面板の取付構造。
【請求項２】
請求項１に記載した化粧用前面板の取付構造において、ネジ挿入穴は長穴であることを特徴とする化粧用前面板の取付構造。
【請求項３】
請求項１または２に記載した化粧用前面板の取付構造において、一対の調整用雌ネジは、取付用雌ネジに対し等距離となる位置に備えられていることを特徴とする化粧用前面板の取付構造。
【請求項４】
請求項１から３のいずれかに記載した化粧用前面板の取付構造において、調整用雄ネジの頭部は、一部が工具挿入穴に嵌ることを特徴とする化粧用前面板の取付構造。
【請求項５】
請求項１から４に記載した化粧用前面板の取付構造のいずれかを備えたことを特徴とする収納庫。
【発明の詳細な説明】
【技術分野】
【０００１】
本発明は例えばシステムキッチンを構成する引き出し式の収納庫の化粧用前面板の取付構造に係り、特に化粧用前面板の取付位置を調整することが可能な化粧用前面板の取付構造に関するものである。
【背景技術】
【０００２】
システムキッチンなどは引き出し式の収納庫や観音開き式の扉をもつ収納庫が複数組み合わされて構成されており、これらの収納庫は化粧用前面板を具備している。この化粧用前面板は組み立て誤差などによって取付位置に多少のずれがある。
ところで、システムキッチンなどにおいては隣り合う収納庫の化粧用前面板どうしの間にずれがあったり、同一面となっていなかったりすると見栄えを著しく損なうことになる。そこで、システムキッチンなどに組み込んでから、化粧用前面板の取付位置を調整するための機構が必要となる。
【０００３】
例えば、特許文献１に記載された引出しの化粧用前面板の取付構造は、箱状引出し本体の前面板部の左右両端に設けられた顎部と化粧用前面板の間に位置調整用補助板を介在させ、この補助板を化粧用前面板に固定すると共に顎部にビス直径より大きく穿設された位置調整用孔部を挿通して顎部の裏面からビス止め手段によって箱状引出し本体と位置調整用補助板が固定されて成り、ビス止め手段を緩めて、位置調整用孔部の範囲で化粧用前面板を動かして位置調整をした後、ビス止め手段を締めるというものである。
【先行技術文献】
【特許文献】
【０００４】
【特許文献１】特開平８−１３１２８２
【発明の概要】
【発明が解決しようとする課題】
【０００５】
しかしながら、上記従来の化粧用前面板の取付構造は、前面板部の左右両端に顎部を設けたり、二つの位置調整用補助板を備えていたりするため、構造が複雑であるばかりか、部品点数が多くなってしまうという問題がある。
また、従来の化粧用前面板の取付構造では、化粧用前面板の平面方向の調整ができるだけであり、傾き位置(姿勢)を調整することはできないという欠点を有している。
本発明は上記従来の問題点に着目して為されたものであり、構造が簡単でしかも、平面方向だけでなく傾き位置(姿勢)も調整することができて、調整作業も簡単に行うことができる化粧用前面板の取付構造の提供を、その目的とする。
【課題を解決するための手段】
【０００６】
本発明は上記課題を解決するためになされたものであり、請求項１の発明は、収納庫本体と、前記収納庫本体に取り付けられる化粧用前面板と、前記収納庫本体の前部に設けられた本体側プレートと、前記本体側プレートに形成されたネジ挿入穴と、前記本体側プレートのネジ挿入穴を挟んでネジ挿入穴から離間する位置に形成された一対の工具挿入穴と、前記化粧用前面板に設けられ、前記本体側プレートに対向して備えられる前面板側プレートと、前記前面板側プレートに形成され前記本体側プレートのネジ挿入穴に対向する取付用雌ネジと、前面板側プレートに形成され前記本体側プレートの工具挿入穴に対向する調整用雌ネジと、前記ネジ挿入穴へ軸部が緩く挿入され前記取付用雌ネジに螺合される取付雄ネジと、前記一対の調整用雌ネジに螺合される調整用雄ネジとから成り、前記取付雄ネジの頭部は前記ネジ挿入穴を通過しないサイズに形成され、前記ネジ挿入穴の収納庫本体側に位置しており、前記調整用雄ネジの頭部は前記工具挿入穴を通過しないサイズに形成され、前記本体側プレートと前面板側プレートとの間に位置していることを特徴とする化粧用前面板の取付構造である。
【０００７】
請求項２の発明は、請求項１に記載した化粧用前面板の取付構造において、ネジ挿入穴は長穴であることを特徴とする化粧用前面板の取付構造である。
【０００８】
請求項３の発明は、請求項１または２に記載した化粧用前面板の取付構造において、一対の調整用雌ネジは、取付用雌ネジに対し等距離となる位置に備えられていることを特徴とする化粧用前面板の取付構造である。
【０００９】
請求項４の発明は、請求項１から３のいずれかに記載した化粧用前面板の取付構造において、調整用雄ネジの頭部は、一部が工具挿入穴に嵌ることを特徴とする化粧用前面板の取付構造である。
【００１０】
請求項５の発明は、請求項１から４に記載した化粧用前面板の取付構造のいずれかを備えたことを特徴とする収納庫である。
【発明の効果】
【００１１】
本発明の化粧用前面板の取付構造によれば、構造が簡単でしかも、平面方向だけでなく傾き位置(姿勢)も調整することが可能である。しかも、調整作業を簡単に行うことができる。
【図面の簡単な説明】
【００１２】
【図１】本発明の実施の形態に係る化粧用前面板の取付構造を具備する引き出し式の収納庫を備えたシステムキッチンの斜視図である。
【図２】図１の引き出し式の収納庫に備えられた化粧用前面板の取付構造の分解斜視図である。
【図３】図１の化粧用前面板の取付構造の平面図である。
【図４】図１の化粧用前面板の取付構造によって化粧用前面板の平面方向の位置を調整する方法を説明するための平面図である。
【図５】図１の化粧用前面板の取付構造によって化粧用前面板の倒れ方向の位置(姿勢)を調整する方法を説明するための平面図である。
【図６】図１の化粧用前面板の取付構造によって化粧用前面板の倒れ方向の位置(姿勢)を調整する方法を説明するための平面図である。
【発明を実施するための形態】
【００１３】
本発明の実施の形態に係る化粧用前面板の取付構造１を図面にしたがって説明する。
図１に示すように化粧用前面板の取付構造１は、システムキッチン２に備えられる引き出し式の収納庫３の化粧用前面板５と収納庫本体７とを連結している。化粧用前面板の取付構造１は２つ備えられ、上下に間隔を開けて並んで配置されている。
システムキッチン２には収納庫３以外にも複数の収納庫４が備えられている。
【００１４】
化粧用前面板の取付構造１の詳細な構成を説明する。
符号９は金属製の本体側プレートを示し、この本体側プレート９は長方形の平板の上下の端部を直角に折り曲げて側面視コの字状に形成されている。従って、本体側プレート９は垂直に配される対向部９ａと対向部９ａの上下の端部に一体に形成され水平に延びる保持部９ｂとから成っている。この対向部９ａの中心にはネジ挿入穴１１が形成され、更にネジ挿入穴１１を挟んでネジ挿入穴１１から離間する位置に工具挿入穴１３、１５が形成されている。ネジ挿入穴１１、一対の工具挿入穴１３、１５は左右方向へ長い長穴である。
収納庫本体７は金属製の丸棒１７等を組み合わせて構成され、丸棒１７に対し本体側プレート９は溶接されて固定されている。本体側プレート９は収納庫本体７の前部に設けられている。
【００１５】
符号１９は前面板側プレートを示し、前面板側プレート１９は左右方向へ長い平板の左右両端部を直角に曲げ、その曲げた部分の両端部をそれぞれ左右方向へ直角に曲げて形成されている。従って、前面板側プレート１９は長方形の対向部１９ａと、対向部１９ａの左右両端に一体に形成された当接部２０、２１とから成っている。この対向部１９ａは本体側プレート９の一対の保持部９ｂの間に嵌るサイズに形成されている。また、当接部２０、２１には固定ネジ４１、４３を挿通するための穴２７、２９が形成されている。
前面板側プレート１９の対向部１９ａの中心には、取付用雌ネジ３１が形成されている。更に、対向部１９ａには取付用雌ネジ３１を挟んで、取付用雌ネジ３１から離間する位置に調整用雌ネジ３３、３５が形成されている。
【００１６】
一対の調整用雌ネジ３３、３５には、調整用雄ネジ３７、３９がそれぞれ螺合されている。調整用雄ネジ３７、３９の頭部３７ａ、３９ａは工具挿入穴１３、１５を通過しないサイズに形成されている。
穴２７、２９には、固定ネジ４１、４３が挿通され、更に固定ネジ４１、４３は化粧用前面板５の裏面に螺合されて、前面板側プレート１９は化粧用前面板５の裏面に取り付けられている。
【００１７】
前面板側プレート１９の対向部１９ａは本体側プレート９の一対の保持部９ｂの間に嵌り、対向部１９ａと本体側プレート９の対向部９ａは互いに対向して備えられる。そして、本体側プレート９のネジ挿入穴１１には取付用雄ネジ４５が挿通され、取付用雄ネジ４５は前面板側プレート１９の取付用雌ネジ３１に螺合されている。これにより本体側プレート９と前面板側プレート１９とが連結され、本体側プレート９と前面板側プレート１９を介して、化粧用前面板５が収納庫本体７に取り付けられている。
上記のように前面板側プレート１９の対向部１９ａは本体側プレート９の一対の保持部９ｂの間に嵌るので、前面板側プレート１９と本体側プレート９とを連結するための作業を楽に行うことができる。
【００１８】
上記のように本体側プレート９と前面板側プレート１９とが連結された状態では、取付用雌ネジ３１はネジ挿入穴１１に対向し、調整用雌ネジ３３、３５は工具挿入穴１３、１５にそれぞれ対向している。
取付用雄ネジ４５の頭部４５ａはネジ挿入穴１１を通過しないサイズに形成されている。また取付用雄ネジ４５の軸部４５ｂはネジ挿入穴１１に対し緩く挿通され、しかもネジ挿入穴１１は長穴なので、左右方向へ動作することができる。
【００１９】
また、一対の調整用雄ネジ３７、３９の頭部３７ａ、３９ａは、本体側プレート９の対向部９ａと前面板側プレート１９の対向部１９ａとの間に位置している。
既述したように調整用雄ネジ３７、３９の頭部３７ａ、３９ａは工具挿入穴１３、１５を通過しないサイズに形成されているが、頭部３７ａ、３９ａは、その一部が工具挿入穴１３、１５に嵌るようになっている。
【００２０】
次に、この化粧用前面板の取付構造１によって化粧用前面板５の位置を調整する方法について説明する。
図３に示す初期状態では、取付用雄ネジ４５が締め付けられて、頭部４５ａが対向部９ａの裏面に圧接しており、また調整用雄ネジ３７、３９の頭部３７ａ、３９ａが対向部９ａの表面に圧接している。従って、化粧用前面板５が収納庫本体７に対し固定されている。
【００２１】
化粧用前面板５の左右方向（平面方向）の位置を調整する場合には、図４に示すように、取付用雄ネジ４５を緩めて、調整用雄ネジ３７、３９の頭部３７ａ、３９ａが対向部９ａから離間する状態にする。そして、化粧用前面板５を矢印で示すように左右方向へ動かし、所望の位置で止める。既述のように頭部３７ａ、３９ａは、その一部が工具挿入穴１３、１５に嵌るようになっているので、化粧用前面板５を矢印で示すように左右方向へ動かす際に、頭部３７ａ、３９ａは工具挿入穴１３、１５の縁を摺接することになり、安定して動作させることが可能となる。
【００２２】
化粧用前面板５を所望の位置で止めてから、取付用雄ネジ４５を締めて、頭部４５ａを対向部９ａの裏面に圧接させると共に調整用雄ネジ３７、３９の頭部３７ａ、３９ａを対向部９ａの表面に圧接させて、化粧用前面板５を固定する。また、頭部３７ａ、３９ａは、その一部が工具挿入穴１３、１５に嵌るようになっているので、頭部３７ａ、３９ａの一部と工具挿入穴１３、１５とが圧接し、化粧用前面板５を強固に固定することができる。
このように、取付用雄ネジ４５を緩めた状態で、化粧用前面板５を左右方向へ動かして所望の位置としてから、取付用雄ネジ４５を締めるだけなので、化粧用前面板５の左右方向（平面方向）の位置を調整する作業を簡単に行うことができる。
【００２３】
また、化粧用前面板５の傾斜位置（姿勢）を調整する場合には、図示しない工具を工具挿入穴１３から挿入して、図５に示すように調整用雄ネジ３７を緩む方向へ回し、頭部３７ａを突出させる。これにより前面板側プレート１９と共に化粧用前面板５の右側が前方へ倒れる。
図示しない工具を工具挿入穴１５から挿入して、図６に示すように、調整用雄ネジ３９を緩む方向へ回し、頭部３９ａを突出させれば、前面板側プレート１９と共に化粧用前面板５の左側が前方へ倒れる。
このように、調整用雄ネジ３７、３９を回すだけなので、化粧用前面板５の傾斜位置（姿勢）を調整する作業を簡単に行うことができる。
【００２４】
図１に示したように、上下に配置された化粧用前面板の取付構造１の調整用雄ネジ３７、３９を適宜回して、頭部３７ａ、３９ａの突出量を変えて、化粧用前面板５の傾き位置（姿勢）をシステムキッチン２の収納庫４の化粧用前面板６と整合するように調整を行う。これにより化粧用前面板５と化粧用前面板６とが同一面になるようにして、良好な見栄えを得るようにする。
このように、化粧用前面板の取付構造１では、構造が簡単でありながら、平面方向だけでなく傾き位置(姿勢)も調整することが可能である。
【００２５】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、システムキッチンの備えられる引き出し式の収納庫に本発明の化粧用前面板の取付構造を適用した場合を示したが、本発明はこれに限定されず、住宅等の作り付けの収納庫の化粧用前面板等に適用してもよいのは勿論である。
【産業上の利用可能性】
【００２６】
本発明の化粧用前面板の取付構造は、化粧用前面板を備える収納庫等の製造業に利用可能である。
【符号の説明】
【００２７】
１…化粧用前面板の取付構造              ２…システムキッチン
３…収納庫                              ４…収納庫
５…化粧用前面板                        ６…化粧用前面板
７…収納庫本体                          ９…本体側プレート
９ａ…対向部                            ９ｂ…保持部
１１…ネジ挿入穴                        １３、１５…工具挿入穴
１７…丸棒                              １９…前面板側プレート
１９ａ…対向部                          ２０、２１…当接部
２７、２９…穴                          ３１…取付用雌ネジ
３３、３５…調整用雌ネジ                ３７、３９…調整用雄ネジ
３７ａ、３９ａ…調整用雄ネジの頭部      ４１、４３…固定ネジ
４５…取付用雄ネジ                      ４５ａ…取付用雄ネジの頭部
４５ｂ…取付用雄ネジの軸部
【図１】
0005552441.tif 000002
【図２】
0005552441.tif 000003
【図３】
0005552441.tif 000004
【図４】
0005552441.tif 000005
【図５】
0005552441.tif 000006
【図６】
0005552441.tif 000007